(57)【要約】  変速機コントローラは、変速がキックダウンであるか判断し、変速がキックダウンであると判断された場合に、キックダウンによって増大する無段変速機への入力トルクに対応する第１目標圧まで目標ライン圧を昇圧し、ライン圧が第１目標圧になったか判断し、ライン圧が第１目標圧になったと判断された場合に、目標ライン圧を第１目標圧よりも高い第２目標圧まで昇圧する。
2013183483.tif 000002
【特許請求の範囲】
【請求項１】
プライマリプーリと、セカンダリプーリと、これらプーリの間に巻き掛けられる動力伝達部材と、プライマリプーリに供給されるプライマリ圧及びセカンダリプーリに供給されるセカンダリ圧を変更し、各プーリの溝幅を変更することで変速する無段変速機であって、
エンジンによって駆動されるオイルポンプと、
前記オイルポンプの吐出圧を減圧して前記プライマリ圧及び前記セカンダリ圧の元圧となるライン圧を調圧するドレン式の調圧弁であり、目標ライン圧に対応する信号圧と前記ライン圧とが両端に作用するとともにストロークに応じてドレンポートを開閉するスプールと、前記スプールを付勢するスプリングとを有するライン圧調圧弁と、
変速がキックダウンであるか判断するキックダウン判断手段と、
変速がキックダウンであると判断された場合に、キックダウンによって増大する前記無段変速機への入力トルクに対応する第１目標圧まで前記目標ライン圧を昇圧する第１増圧手段と、
前記ライン圧が前記第１目標圧になったか判断する昇圧判断手段と、
前記ライン圧が前記第１目標圧になったと判断された場合に、前記目標ライン圧を前記第１目標圧よりも高い第２目標圧まで昇圧する第２増圧手段と、
を備えた無段変速機。
【請求項２】
請求項１に記載の無段変速機であって、
前記第２増圧手段は、前記目標ライン圧を前記第２目標圧に所定時間保持する、
無段変速機。
【請求項３】
請求項２に記載の無段変速機であって、
前記第２増圧手段は、前記目標ライン圧を前記第２目標圧に所定時間保持した後、前記目標ライン圧を所定のランプ勾配で低下させる、
無段変速機。
【請求項４】
請求項１から３のいずれか一つに記載の無段変速機であって、
前記第２増圧手段は、前記ライン圧が前記第１目標圧になったと判断され、かつ、前記第１増圧手段による前記目標ライン圧の昇圧の結果、前記ドレンポートが前記スプールによって閉じられると判断される場合に、前記目標ライン圧を前記第１目標圧よりも高い第２目標圧まで昇圧する、
無段変速機。
【請求項５】
請求項１から４のいずれか一つに記載の無段変速機であって、
前記第１増圧手段は、前記ライン圧を昇圧するのに併せて前記セカンダリ圧を昇圧する、
無段変速機。
【請求項６】
プライマリプーリと、セカンダリプーリと、これらプーリの間に巻き掛けられる動力伝達部材と、プライマリプーリに供給されるプライマリ圧及びセカンダリプーリに供給されるセカンダリ圧を変更し、各プーリの溝幅を変更する油圧回路が、エンジンによって駆動されるオイルポンプと、前記オイルポンプの吐出圧を減圧して前記プライマリ圧及び前記セカンダリ圧の元圧となるライン圧を調圧するドレン式の調圧弁であり、目標ライン圧に対応する信号圧と前記ライン圧とが両端に作用するとともにストロークに応じてドレンポートを開閉するスプールと、前記スプールを付勢するスプリングとを有するライン圧調圧弁と、を有する無段変速機の油圧制御方法であって、
変速がキックダウンであるか判断し、
変速がキックダウンであると判断された場合に、キックダウンによって増大する前記無段変速機への入力トルクに対応する第１目標圧まで前記目標ライン圧を昇圧し、
前記ライン圧が前記第１目標圧になったか判断し、
前記ライン圧が前記第１目標圧になったと判断された場合に、前記目標ライン圧を前記第１目標圧よりも高い第２目標圧まで昇圧する、
無段変速機の油圧制御方法。
【発明の詳細な説明】
【技術分野】
【０００１】
本発明は、無段変速機の油圧制御に関する。
【背景技術】
【０００２】
無段変速機のキックダウン制御では、プライマリプーリに供給されるプライマリ圧を減圧し、セカンダリプーリに供給されるセカンダリ圧を増圧することで、目標とする変速速度を達成するための差推力を確保する。【０００３】
ＪＰ５９−９９１４８Ａに開示される無段変速機は、キックダウンで必要となる油圧を確保するために、プライマリ圧及びセカンダリ圧の元圧となるライン圧を速やかに増圧する技術を開示している。
【発明の概要】
【０００４】
無段変速機においては、ライン圧、プライマリ圧及びセカンダリ圧を調圧する調圧弁として、ドレン調圧式の調圧弁が採用されることが多い。
【０００５】
ドレン調圧式の調圧弁は、ドレンポートを開閉するスプールと、スプールを付勢するスプリングとを備え、ソレノイド等から調圧弁に供給される信号圧に基づいて、調圧弁に供給される元圧の一部をドレンするとともに、調圧後の油圧をスプールに作用させるフィードバック回路によって、調圧後の油圧を信号圧に対応する油圧（目標とする油圧）に制御する構成である。
【０００６】
しかしながら、調圧弁をドレン調圧式の調圧弁で構成した場合、キックダウンによって目標とする油圧が急増する状況において、実油圧が目標とする油圧に対してオーバーシュート及びアンダーシュートを繰り返し、アンダーシュートを起こしたタイミングでプーリによるベルト挟持力が不足し、ベルトが滑る可能性があった。
【０００７】
これは、目標とする油圧が急激に上がって油量収支が不足すると、実油圧がなるべく高くなるように調圧弁のドレンポートが閉じられるが、ドレンポートが閉じたタイミングで油圧が急激に立ち上がり、かつ、エンジンの回転速度が増大してオイルポンプの吐出圧が上昇することを受けて、実油圧が目標とする油圧に対してオーバーシュートするからである。
【０００８】
そして、オーバーシュートが起こると、今度は、実油圧を下げるべく、フィードバック回路の働きによってスプールがドレンポートを開く方向に押し戻されるが、バネ・マス系に起因する遅れがあるので、実油圧が目標とする油圧まで下がってもドレンポートは直ちには閉じず、この結果、ドレン量が過多となって実油圧のアンダーシュートが発生するからである（揺り返しによるアンダーシュートの発生）。
【０００９】
本発明の目的は、したがって、キックダウン時に実油圧が揺り返しによってアンダーシュートしないようにすることで、ベルトの滑りを防止することである。
【００１０】
本発明のある態様によれば、プライマリプーリと、セカンダリプーリと、これらプーリの間に巻き掛けられる動力伝達部材と、プライマリプーリに供給されるプライマリ圧及びセカンダリプーリに供給されるセカンダリ圧を変更し、各プーリの溝幅を変更することで変速する無段変速機が提供される。
【００１１】
この無段変速機は、エンジンによって駆動されるオイルポンプと、前記オイルポンプの吐出圧を減圧して前記プライマリ圧及び前記セカンダリ圧の元圧となるライン圧を調圧するドレン式の調圧弁であり、目標ライン圧に対応する信号圧と前記ライン圧とが両端に作用するとともにストロークに応じてドレンポートを開閉するスプールと、前記スプールを付勢するスプリングとを有するライン圧調圧弁とを備える。
【００１２】
そして、変速がキックダウンであるか判断し、変速がキックダウンであると判断された場合に、キックダウンによって増大する前記無段変速機への入力トルクに対応する第１目標圧まで前記目標ライン圧を昇圧し、前記ライン圧が前記第１目標圧になったか判断し、前記ライン圧が前記第１目標圧になったと判断された場合に、前記目標ライン圧を前記第１目標圧よりも高い第２目標圧まで昇圧する。
【００１３】
上記態様によれば、ライン圧は第１目標圧に対してオーバーシュートするが、目標ライン圧が第２目標圧に高められたことによって、制御上はオーバーシュートが起こっていないと認識されるので、ライン圧調圧弁の動きが抑制され、オーバーシュートの揺り返しとして起こるアンダーシュートが防止される。
【００１４】
本発明の実施形態及び本発明の利点については、添付された図面を参照しながら以下に詳細に説明する。
【図面の簡単な説明】
【００１５】
【図１】図１は、無段変速機の概略構成図である。
【図２】図２は、変速制御油圧回路の概略構成図である。
【図３】図３は、ライン圧調圧弁の概略構成図である。
【図４】図４は、キックダウン時の油圧制御の内容を示したフローチャートである。
【図５】図５は、キックダウン時の目標ライン圧及び目標セカンダリ圧の変化を示したタイムチャートである。
【発明を実施するための形態】
【００１６】
図１は、無段変速機（以下、「ＣＶＴ」という。）１の概略構成を示している。プライマリプーリ２及びセカンダリプーリ３が両者の溝が整列するよう配置され、これらプーリ２、３の溝にはベルト４が巻き掛けられている。プライマリプーリ２と同軸にエンジン５が配置され、エンジン５とプライマリプーリ２の間には、エンジン５の側から順に、トルクコンバータ６、前後進切換え機構７が設けられている。
【００１７】
トルクコンバータ６は、エンジン５の出力軸に連結されるポンプインペラ６ａ、前後進切換え機構７の入力軸に連結されるタービンランナ６ｂ、ステータ６ｃ及びロックアップクラッチ６ｄを備える。
【００１８】
前後進切換え機構７は、ダブルピニオン遊星歯車組７ａを主たる構成要素とし、そのサンギヤはトルクコンバータ６のタービンランナ６ｂに結合され、キャリアはプライマリプーリ２に結合される。前後進切換え機構７は、さらに、ダブルピニオン遊星歯車組７ａのサンギヤ及びキャリア間を直結する発進クラッチ７ｂ、及びリングギヤを固定する後進ブレーキ７ｃを備える。そして、発進クラッチ７ｂの締結時には、エンジン５からトルクコンバータ６を経由した入力回転がそのままプライマリプーリ２に伝達され、後進ブレーキ７ｃの締結時には、エンジン５からトルクコンバータ６を経由した入力回転が逆転され、プライマリプーリ２へと伝達される。
【００１９】
プライマリプーリ２の回転はベルト４を介してセカンダリプーリ３に伝達され、セカンダリプーリ３の回転は、出力軸８、歯車組９及びディファレンシャルギヤ装置１０を経て図示しない駆動輪へと伝達される。
【００２０】
上記の動力伝達中にプライマリプーリ２及びセカンダリプーリ３間の変速比を変更可能にするために、プライマリプーリ２及びセカンダリプーリ３の溝を形成する円錐板のうち一方を固定円錐板２ａ、３ａとし、他方の円錐板２ｂ、３ｂを軸線方向へ変位可能な可動円錐板としている。
【００２１】
これら可動円錐板２ｂ、３ｂは、ライン圧ＰＬを元圧として作り出したプライマリ圧Ｐｐｒｉ及びセカンダリ圧Ｐｓｅｃをプライマリプーリ室２ｃ及びセカンダリプーリ室３ｃに供給することにより固定円錐板２ａ、３ａに向けて付勢され、これによりベルト４を円錐板に摩擦接合させてプライマリプーリ２及びセカンダリプーリ３間での動力伝達が行われる。
【００２２】
変速は、プライマリ圧Ｐｐｒｉ及びセカンダリ圧Ｐｓｅｃ間の差圧により両プーリ２、３の溝の幅を変化させ、プーリ２、３に対するベルト４の巻き掛け円弧径を連続的に変化させることによって行われる。
【００２３】
プライマリ圧Ｐｐｒｉ及びセカンダリ圧Ｐｓｅｃは、前進走行レンジの選択時に締結する発進クラッチ７ｂ、及び後進走行レンジの選択時に締結する後進ブレーキ７ｃへの供給油圧と共に変速制御油圧回路１１によって制御される。変速制御油圧回路１１は変速機コントローラ１２からの信号に応答して制御を行う。
【００２４】
変速機コントローラ１２には、ＣＶＴ１の実入力回転速度Ｎｉｎを検出する入力回転速度センサ１３からの信号と、ＣＶＴ１の出力回転速度、すなわち、車速ＶＳＰを検出する車速センサ１４からの信号と、プライマリ圧Ｐｐｒｉを検出するプライマリ圧センサ１５ｐからの信号と、セカンダリ圧Ｐｓｅｃを検出するセカンダリ圧センサ１５ｓからの信号と、ライン圧ＰＬを検出するライン圧センサ１５ｌからの信号と、アクセル開度ＡＰＯを検出するアクセル開度センサ１６からの信号と、セレクトレバー位置を検出するインヒビタスイッチ１７からの選択レンジ信号と、ブレーキペダルの踏み込みの有無を検出するブレーキスイッチ１８からの信号と、エンジン５を制御するエンジンコントローラ１９からのエンジン５の運転状態（エンジン回転速度Ｎｅ、エンジントルク、燃料噴時間、冷却水温ＴＭＰｅ等）に関する信号とが入力される。
【００２５】
図２は、変速制御油圧回路１１の概略構成を示している。
【００２６】
変速制御油圧回路１１は、オイルポンプ４０、ライン圧調圧弁３１、プライマリ圧調圧弁３２及びセカンダリ圧調圧弁３３を備える。
【００２７】
オイルポンプ４０は、エンジン５によって駆動される。
【００２８】
ライン圧調圧弁３１は、オイルポンプ４０の吐出圧の一部をドレンして減圧することで、ライン圧ＰＬを目標ライン圧ｔＰＬに調圧するドレン調圧式の調圧弁である。
【００２９】
プライマリ圧調圧弁３２及びセカンダリ圧調圧弁３３は、ライン圧ＰＬを元圧として、ライン圧ＰＬの一部をドレンして減圧することでプライマリ圧Ｐｐｒｉ及びセカンダリ圧Ｐｓｅｃをそれぞれ目標プライマリ圧ｔＰｐｒｉ及び目標セカンダリ圧ｔＰｓｅｃに調圧するドレン調圧式の調圧弁である。
【００３０】
ライン圧調圧弁３１、プライマリ圧調圧弁３２及びセカンダリ圧調圧弁３３は、それぞれ、調圧後の油圧を調圧弁に戻し、調圧後の油圧を目標とする油圧にフィードバック制御するためのフィードバック回路３１ｆ、３２ｆ、３３ｆを有している。
【００３１】
図３は、ライン圧調圧弁３１の概略構成を示している。ここではライン圧調圧弁３１の構成について説明するが、プライマリ圧調圧弁３２及びセカンダリ圧調圧弁３３も同様の構成である。
【００３２】
ライン圧調圧弁３１は、スプール３１ｓと、スプール３１ｓを内部に収容するハウジング３１ｈと、スプール３１ｓとハウジング３１ｈとの間に改装されるスプリング３１ｐを備える。
【００３３】
ハウジング３１ｈには、ポート３１ａ〜３１ｄが開口している。ポート３１ａは、フィードバック回路３１ｆを介してポート３１ｂと接続している。ポート３１ｂはオイルポンプ４０とプライマリ圧調圧弁３２及びセカンダリ圧調圧弁３３との間に接続している。ポート３１ｃはドレンポートである。ポート３１ｄはソレノイド弁（図示せず）に接続している。
【００３４】
ポート３１ｃの内側には、スプール３１ｓのランド部３１ｌが配置され、ポート３１ｃはランド部３１ｌによってその開度が調整される。
【００３５】
ポート３１ｄには、ソレノイド弁から目標ライン圧ｔＰＬに対応する信号圧が供給され、信号圧はスプール３１ｓの右側端面に作用する。信号圧が増大すると、スプール３１ｓが図中左側に移動し、ポート３１ｃの開度が減少する。これにより、ポート３１ｃからのドレン量が減ってライン圧ＰＬが上がる。逆に、ポート３１ｄに供給される信号圧が減少すると、スプール３１ｓが図中右側に移動し、ポート３１ｃの開度が増大する。これにより、ポート３１ｃからのドレン量が増えてライン圧ＰＬが下がる。
【００３６】
また、このようにして調圧されたライン圧ＰＬは、フィードバック回路３１ｆを介してポート３１ａにも供給され、スプール３１ｓの左側端面に作用する。調圧後のライン圧ＰＬが目標ライン圧ｔＰＬに一致していれば、ライン圧ＰＬと信号圧とスプリング３１ｐの付勢力とがバランスし、スプール３１ｓはそのときのストロークを保持する。
【００３７】
これに対し、調圧後のライン圧ＰＬが目標ライン圧ｔＰＬよりも低い場合は、スプール３１ｓが図中左側に移動してポート３１ｃの開度が減少し、ドレン量が減ってライン圧ＰＬが上がる。逆に、調圧後のライン圧ＰＬが目標ライン圧ｔＰＬよりも高い場合は、スプール３１ｓが図中右側に移動してポート３１ｃの開度が増大し、ドレン量が増えてライン圧ＰＬが下がる。
【００３８】
これにより、ライン圧ＰＬは、目標ライン圧ｔＰＬになるようにフィードバック制御される（自己フィードバック）。
【００３９】
ここで、油量収支が足りている状況ではポート３１ｃが閉じられることはないが、油量収支が不足する状況では、できる限り高いライン圧ＰＬが得られるように、ポート３１ｃが閉じられる。
【００４０】
このため、キックダウンによって目標ライン圧ｔＰＬが急激に上がり、油量収支が不足する状況では、ライン圧調圧弁３１のポート３１ｃが閉じられるが、この場合、ライン圧ＰＬが目標ライン圧ｔＰＬに対してオーバーシュートする。そして、これに対して何も手当をしないと、その揺り返しとしてライン圧ＰＬが目標ライン圧ｔＰＬに対してアンダーシュートし、ベルト４が滑る可能性がある。
【００４１】
そこで、本実施形態では、以下に説明するキックダウン時の油圧制御を行う。
【００４２】
図４は、キックダウン時の油圧制御の内容を示したフローチャートである。これを参照しながらキックダウン時の制御について説明する。
【００４３】
まず、Ｓ１では、変速機コントローラ１２は、変速がキックダウン（アクセルペダルが急激かつ大きく踏み込まれた時に行われるダウンシフト）か判断する。キックダウンかは、アクセル開度ＡＰＯの変化量及び変化速度に基づき判断することができる。
【００４４】
変速がキックダウンであると判断された場合は処理がＳ２に進み、そうでない場合は処理が終了する。
【００４５】
Ｓ２では、変速機コントローラ１２は、目標ライン圧ｔＰＬをキックダウンによって増大するＣＶＴ１への入力トルクに対応する第１目標圧（すなわち、変速後に必要となる最終目標圧）まで上げる（第１段階の昇圧）。これにより、セカンダリプーリ３によるベルト４の挟持圧が高められ、ベルト４が滑るのが防止される。
【００４６】
Ｓ３では、変速機コントローラ１２は、ライン圧調圧弁３１のポート３１ｃが閉じられたか判断する。上記の通り、ポート３１ｃは、油量収支が不足する場合に閉じられ、その判断は、エンジン回転速度Ｎｅ、ライン圧ＰＬ及び変速比に基づき行われる。具体的には、エンジン回転速度Ｎｅが所定値よりも低く（オイルポンプ４０の吐出圧が低い）、ライン圧ＰＬが所定値よりも低く（実圧が低い）、かつ、変速比が所定変速比よりもハイ側（キックダウン時に必要とされる油圧の増分が大きい）の場合に油量収支が不足し、ポート３１ｃが閉じられると判断される。
【００４７】
ポート３１ｃが閉じられると判断された場合はライン圧ＰＬのオーバーシュートが発生するので、Ｓ４以降に進み、その揺り返しによるアンダーシュートを防止するための処理が行われる。そうでない場合は処理が終了する。
【００４８】
Ｓ４では、変速機コントローラ１２は、ライン圧ＰＬが第１目標圧まで昇圧したか判断する。肯定的な判断がなされた場合は処理がＳ５に進み、そうでない場合はＳ４の判断が繰り返される。かかる判断を行うのは、ライン圧ＰＬのオーバーシュートはライン圧ＰＬが第１目標圧まで昇圧した直後に起こり、オーバーシュートの揺り返しを防止するＳ５以降の処理を行うには、ライン圧ＰＬが第１目標圧まで昇圧したタイミングで開始するのが好適であるからである。
【００４９】
Ｓ５では、変速機コントローラ１２は、目標ライン圧ｔＰＬを第１目標圧よりも高い第２目標圧まで上げる（第２段階の昇圧）。この処理は、目標ライン圧ｔＰＬの下限値を第１目標圧よりも高い第２目標圧に設定し、当該下限値を用いて目標ライン圧ｔＰＬの下限規制を行うことによって行われる。
【００５０】
第２目標圧は、ライン圧ＰＬの第１目標圧に対するオーバーシュート発生時の圧よりも高い値に設定される。これにより、目標ライン圧ｔＰＬがライン圧ＰＬよりも高くなるので、制御上はオーバーシュートが起こっていないと認識され、フィードバック回路３１ｆの働きによってスプール３１ｓがポート３１ｃを開く方向に押し戻されることはなく、したがって、揺り返しによるアンダーシュートも発生しない。
【００５１】
なお、油量収支が不足する状況であるので、目標ライン圧ｔＰＬを第２目標圧まで高めても、ライン圧ＰＬが第２目標圧に対してオーバーシュートすることはない。
【００５２】
Ｓ６では、変速機コントローラ１２は、所定時間待機する。これによって、ライン圧ＰＬを高く保持し、揺り返しによるアンダーシュートを確実に防止する。
【００５３】
Ｓ７では、変速機コントローラ１２は、Ｓ５で用いた下限値を下げることで、目標ライン圧ｔＰＬを所定のランプ勾配で低下させる。これは、目標ライン圧ｔＰＬを第２目標圧まで上げたことで入力トルクに対して過多になっているライン圧ＰＬを入力トルクに応じた圧まで下げるためである。所定のランプ勾配で下げるのは、急激に目標ライン圧ｔＰＬを下げると、ライン圧調圧弁３１のバネ・マス系に起因する遅れによってライン圧ＰＬが目標ライン圧ｔＰＬに対してアンダーシュートするので、これを防止するためである。
【００５４】
以上の処理により、キックダウンによって目標ライン圧ｔＰＬが急激に上がって油量収支が不足しても、ライン圧ＰＬのオーバーシュートの揺り返しとしてのアンダーシュートを防止し、ベルト滑りを防止することができる。
【００５５】
なお、セカンダリ圧調圧弁３３についても同様の制御を行う。
【００５６】
すなわち、キックダウンによって目標セカンダリ圧ｔＰｓｅｃが急激に上がって油量収支が不足する場合には、目標セカンダリ圧ｔＰｓｅｃが入力トルクに対応する第１目標圧よりも高い第２目標圧まで上げられる。
【００５７】
これにより、セカンダリ圧Ｐｓｅｃが第１目標圧をオーバーシュートしても、制御上はオーバーシュートが起こっていないと認識されるようにし、セカンダリ圧Ｐｓｅｃを下げるためのセカンダリ圧調圧弁３３の動作を抑制して、オーバーシュートの揺り戻しとして起こるアンダーシュートを防止する。
【００５８】
続いて、上記キックダウン時の油圧制御を行うことによる作用効果について説明する。
【００５９】
図５は、キックダウン時の目標ライン圧ｔＰＬ及び目標セカンダリ圧ｔＰｓｅｃの変化を示している。
【００６０】
時刻ｔ１で変速がキックダウンと判断されると、目標ライン圧ｔＰＬ及び目標セカンダリ圧が、それぞれ変速後の入力トルクに対応した第１目標圧までそれぞれ急激に高められる。これにより、油量収支が不足する状況になり、ライン圧調圧弁３１のポート３１ｃ及びセカンダリ圧調圧弁３３のドレンポートが閉じられる。なお、油量収支の不足は一時的であり、エンジン回転速度Ｎｅが増大してオイルポンプ４０の吐出圧が上昇すると、油量収支の不足は解消する。
【００６１】
時刻ｔ２で、ライン圧ＰＬ及びセカンダリ圧Ｐｓｅｃがそれぞれ第１目標圧になると、目標ライン圧ｔＰＬ及び目標セカンダリ圧がさらに高い第２目標圧に設定される。ライン圧ＰＬ及びセカンダリ圧Ｐｓｅｃはそれぞれ第１目標圧に対してオーバーシュートするが、目標ライン圧ｔＰＬ及び目標セカンダリ圧ｔＰｓｅｃが第２目標圧に高められたことによって、制御上はオーバーシュートが起こっていないと認識され、ライン圧調圧弁３１及びセカンダリ圧調圧弁３３の動きが抑制されるので、オーバーシュートの揺り戻しとして起こるアンダーシュートが防止される。
【００６２】
時刻ｔ２〜ｔ３では、目標ライン圧ｔＰＬ及び目標セカンダリ圧ｔＰｓｅｃは、第２目標圧に所定時間保持される。これにより、オーバーシュートの揺り返しとしてのアンダーシュートを確実に防止することができる。
【００６３】
そして、時刻ｔ３以降では、目標ライン圧ｔＰＬ及び目標セカンダリ圧ｔＰｓｅｃは所定のランプ勾配で下げられる。これにより、入力トルクに対して油圧が過多の状態を解消するとともに、目標ライン圧ｔＰＬ及び目標セカンダリ圧ｔＰｓｅｃが急激に下がることによるアンダーシュートが防止される。
【００６４】
なお、上記目標ライン圧ｔＰＬ及び目標セカンダリ圧ｔＰｓｅｃの２段階目の昇圧は、第１段階の昇圧で油量収支が不足し、ライン圧調圧弁３１のポート３１ｃ及びセカンダリ圧調圧弁３３のドレンポートが閉じられる場合にのみ行われるので、不必要な昇圧による燃費の悪化を防止することができる。
【００６５】
以上、本発明の実施形態について説明したが、上記実施形態は本発明の適用例の一部を示したに過ぎず、本発明の技術的範囲を上記実施形態の具体的に限定する趣旨ではない。
【００６６】
本願は日本国特許庁に２０１２年６月８日に出願された特願２０１２−１３０６５０号に基づく優先権を主張し、この出願の全ての内容は参照により本明細書に組み込まれる。
【図１】
2013183483.tif 000003
【図２】
2013183483.tif 000004
【図３】
2013183483.tif 000005
【図４】
2013183483.tif 000006
【図５】
2013183483.tif 000007
【国際調査報告】
2013183483.tif 000008
2013183483.tif 000009
2013183483.tif 000010
2013183483.tif 000011